(57)【要約】【課題】両開きのスライドファスナーにおいて、不所望に開かないようにする。【解決手段】両開きのスライドファスナー２は、２つのスライダー２１，２２を突き合わせるようにエレメント列２０の任意の箇所まで移動させることでファスナー２（エレメント列２０）を閉じることができるものの、スライダー２１，２２がエレメント列２０の端部にある場合よりも荷物や外部への接触などによって不所望に開き易い。そこで、引き手２１２，２２２の孔部２１３，２１４：２２３，２２４に紐体１１，１２を挿通し、その紐体１１，１２に取付けた一対の係合部材１３，１４を互いに係合或いは離脱させることによってスライダー２１，２２を一体化或いは分離する。したがって、不所望なファスナー２の開放を防止でき、開いた口からの荷物の脱落を防止したり、ファスナーを開け難くし、スリなどに対して防犯効果を得たりすることができる。【選択図】図１
2017192620.tif 000002
【特許請求の範囲】
【請求項１】
エレメント列の両端部から滑動して、該エレメント列をそれぞれ閉止可能な２つのスライダーを備えて成る両開きのスライドファスナーに用いられる開放防止部材であって、
前記２つのスライダーそれぞれにおけるスライダー本体と引き手との少なくとも一方に形成されている孔部を挿通する紐体と、
２つの前記紐体にそれぞれ取付けられ、互いに係合／離脱可能な一対の係合部材とを含むことを特徴とする両開きスライドファスナーの開放防止部材。
【請求項２】
前記紐体は、結束バンドから成ることを特徴とする請求項１記載の両開きスライドファスナーの開放防止部材。
【請求項３】
前記係合部材は、
前記紐体に取付けられる板状の基材と、
前記基材に取付けられる面ファスナー、ホックまたは磁石とを備え
前記面ファスナー、ホックまたは磁石が互いに吸着することで、一対の前記基材が貼合わせられることを特徴とする請求項１または２記載の両開きスライドファスナーの開放防止部材。
【請求項４】
前記一対の基材は、花弁の模様に形成され、前記面ファスナー、ホックまたは磁石の吸着で積層された状態で、表側となる基材が相対的に小さく、裏側となる基材が相対的に大きくなるように形成されることを特徴とする請求項３記載の両開きスライドファスナーの開放防止部材。
【請求項５】
前記一対の係合部材の内の一方は、前記紐体に連結される基材と、可撓性の材料によって、略Ｕ字状またはΩ字状に形成され、その遊端部が互いに絡み付く足部となる係合片とを備えて構成され、
前記一対の係合部材の内の他方は、前記紐体に取付けられ、色および形状の少なくとも一方で意匠が凝らされた環状部材から成り、
前記一方の係合部材の足部が、前記環状部材から成る前記他方の係合部材に係合し、前記足部が互いに絡み付くことで、前記一対の係合部材が互いに係合することを特徴とする請求項１または２記載の両開きスライドファスナーの開放防止部材。
【請求項６】
前記基材は、蛍光体から成り、或いは蛍光材料を含有して成ることを特徴とする請求項３〜５の何れか１項に記載の両開きスライドファスナーの開放防止部材。
【請求項７】
前記結束バンドは、片側にラック状の歯が形成された帯状体と、該帯状体の一端部に設けられ、該帯状体が挿通する溝を有するとともに、その溝の内側の片面には、前記歯に噛合う逆止爪を有する頭部とを備えて構成され、
前記係合部材には、前記スライダー側の孔部へ向けて前記帯状体が往復で挿通する２つの挿通孔を有し、該２つの挿通孔において、前記スライダーとは反対側の出口間には、前記頭部を収容する凹所が連通して形成されていることを特徴とする請求項２記載の両開きスライドファスナーの開放防止部材。
【請求項８】
エレメント列の両端部から滑動して、該エレメント列をそれぞれ閉止可能な２つのスライダーを備えて成る両開きのスライドファスナーに用いられる開放防止部材であって、
前記２つのスライダーの引き手にそれぞれ取付けられ、互いに係合／離脱可能な係合部材を含むことを特徴とする両開きスライドファスナーの開放防止部材。
【請求項９】
前記請求項１〜８の何れか１項に記載の開放防止部材を、前記両開きスライドファスナーのスライダーに備えることを特徴とするバッグ。
【発明の詳細な説明】
【技術分野】
【０００１】
本発明は、両開きのスライドファスナーに用いられ、不所望にファスナーが開いてしまうことを防止する開放防止部材およびそれを備えるバッグに関する。
【背景技術】
【０００２】
バッグなどにおいて、その開口部をスライドファスナーによって開閉することで、中身の出入れが行い易くなる。しかしながら、スライドファスナーは、不所望にファスナー（エレメント列）が開いてしまう、つまりスライダーがずれてしまうと、開いた開口部から荷物が落ちたりする。また、開閉し易い分、スリなどに遭い易い。特に、バックパック（リュックサック）の場合、目の届かない背後に背負われるので、使用者がファスナーが開いていても分からず、そのような問題が顕著である。
【０００３】
ここで、スライドファスナーにおいて、スライダーが、エレメント列の一方の端部側から他方の端部側へ前記エレメント列を閉止してゆく片開きのスライドファスナーの場合、前記開口部を閉じるためには、スライダーを、決められたエレメント列の前記他方の端部側へ寄せておく必要がある。その他方の端部としては、バッグの端にあることが多く、そのため、スライダーが、内部の荷物に触れたり、壁などの外部に触れたりして、ずれる可能性は小さい。また、バッグに荷物が多く詰まっていたり、荷物が重かったりして、生地（ファスナーテープ）にストレス（テンション）が加わっても、スライダーがエレメント列の端部に寄っていると、ずれる可能性は小さい。
【０００４】
しかしながら、そのように元々スライダーがずれる可能性の小さい、片開きのスライドファスナーにおいても、不所望にスライダーがずれてエレメント列（開口部）が開かないように、たとえば特許文献１や特許文献２が提案されている。特許文献１では、ファスナーの他方側の端部、つまりエレメント列（開口部）の閉止状態でのスライダーの停止位置の上に、フラップを被せている。また、特許文献２では、前記停止位置において、スライダーの引き手の先端を、ロック部に差込んで、ダイヤルでロックするようになっている。
【先行技術文献】
【特許文献】
【０００５】
【特許文献１】特開平１０−５７１３６号公報
【特許文献２】実用新案登録第３１９７６００号
【発明の概要】
【発明が解決しようとする課題】
【０００６】
一方、エレメント列の両端部から滑動して、該エレメント列をそれぞれ閉止可能な２つのスライダーを備えて成る両開きのスライドファスナーの場合、２つのスライダーを突き合わせることでエレメント列（開口部）を閉止することができ、スライダーの停止位置は、任意である。そのため、バッグなどで荷物の出入れがし易い。しかしながら、スライダーがエレメント列の端部にある場合よりも途中箇所にある場合は、荷物の該スライダーへの接触や、該スライダーの壁面などの外部への接触が起こり易く、また、バッグ等の生地（ファスナーテープ）のストレス（テンション）も加わり易く、格段に、該スライダーが、自然に（不所望に）、ずれ易い（ファスナー（エレメント列）が開き易い）のに対して、前記特許文献１や特許文献２による開放防止の対策は採用することができない。
【０００７】
本発明の目的は、両開きのスライドファスナーにおいて、不所望なファスナーの開放を防止することができる両開きスライドファスナーの開放防止部材およびそれを備えるバッグを提供することである。
【課題を解決するための手段】
【０００８】
本発明の両開きスライドファスナーの開放防止部材は、エレメント列の両端部から滑動して、該エレメント列をそれぞれ閉止可能な２つのスライダーを備えて成る両開きのスライドファスナーに用いられ、前記２つのスライダーの不所望な離間によるファスナー（前記エレメント列）の開放を防止する開放防止部材であって、前記２つのスライダーそれぞれにおけるスライダー本体と引き手との少なくとも一方に形成されている孔部を挿通する紐体と、２つの前記紐体にそれぞれ取付けられ、互いに係合／離脱可能な一対の係合部材とを含むことを特徴とする。
【０００９】
上記の構成によれば、エレメント列の両端部から滑動して、該エレメント列をそれぞれ閉止可能な２つのスライダーを備えて成る両開きのスライドファスナーにおいて、この両開きのスライドファスナーは、２つのスライダーを突き合わせるように前記エレメント列の任意の箇所までスライダーを移動させることでファスナー（前記エレメント列）を閉じることができるものの、スライダーが前記エレメント列の端部にある場合よりも途中箇所にある場合は、内部の荷物や壁面などの外部への接触が起こり易く、またバッグ等の生地（ファスナーテープ）のストレス（テンション）などによって、該２つのスライダーが不所望に離間し、ファスナー（前記エレメント列）が開き易い。
【００１０】
そこで、そのような不所望なファスナー（前記エレメント列）の開放を防止する部材を設けるにあたって、その部材を、前記２つのスライダーそれぞれにおけるスライダー本体と引き手との少なくとも一方に形成されている孔部を挿通する紐体と、前記２つの紐体にそれぞれ取付けられ、互いに係合／離脱可能な一対の係合部材とによって構成する。すなわち、スライダーは、一般に、前記エレメント列を開閉するスライダー本体と、前記スライダー本体に連結され、使用者が把持して（摘まんで）前記スライダー本体を移動させる引き手とを備えて構成される。そして、たとえばスライダー本体には、環状に形成される引き手の一端部が遊挿して前記連結を実現する孔が形成されており、この孔や、前記引き手の環状の一端部が形成する孔、或いは引き手の他端部において、紐などを通すために予め形成される孔などの何れかの孔部に、紐体を挿通し、その紐体で、前記一対の係合部材をぶら下げる。
【００１１】
したがって、両開きのスライドファスナーにおいて、不所望なファスナー（前記エレメント列）の開放を防止することができ、開いたファスナーの口から荷物が落ちたりすることを防止したり、ファスナーを開け難くし、スリなどに対して防犯効果を得たりすることができる。
【００１２】
そして、そのような開放防止部材を設けるにあたって、スーツケースの両開きスライドファスナーのファスナー本体のように、所謂南京錠のＵ字の掛金が通る孔を設けておくような、予めそのような開放防止部材のための細工を施していない両開きのスライドファスナーにおいても、ファスナー本体か引き手に形成されている孔に紐を通して、一対の係合部材をぶら下げるだけで、開放を防止することができる。
【００１３】
また、本発明の両開きスライドファスナーの開放防止部材では、前記紐体は、結束バンドから成ることを特徴とする。
【００１４】
上記の構成によれば、たとえば互いに重ね合せることで前記係合／離脱可能な係合部材を、紐によってスライダーのスライダー本体や引き手に取付けるにあたって、その紐に結束バンドを用いる。
【００１５】
したがって、係合部材を極めて容易に取付けることができるとともに、外れ難く、また強度も高く、高い信頼性で、ファスナー（エレメント列）の不所望な開放を防止することができる。
【００１６】
さらにまた、本発明の両開きスライドファスナーの開放防止部材では、前記係合部材は、前記紐体に取付けられる板状の基材と、前記基材に取付けられる面ファスナー、ホックまたは磁石とを備え、前記面ファスナー、ホックまたは磁石が互いに吸着することで、一対の前記基材が貼合わせられることを特徴とする。
【００１７】
上記の構成によれば、両開きのスライドファスナーの不所望な開放防止を、面ファスナー、ホックまたは磁石の吸着で、容易に実現することができる。
【００１８】
また、本発明の両開きスライドファスナーの開放防止部材では、前記一対の基材は、花弁の模様に形成され、前記面ファスナー、ホックまたは磁石の吸着で積層された状態で、表側となる基材が相対的に小さく、裏側となる基材が相対的に大きくなるように形成されることを特徴とする。
【００１９】
上記の構成によれば、スライドファスナーのスライダーに取付けられて不所望な開放を防止する開放防止部材において、その開放防止のために、面ファスナー、ホックまたは磁石の吸着によって互いに貼合わせられることになる基材に、意匠性を持たせることができる。これによって、既存のスライドファスナーに開放防止部材を後付けしても、違和感（不自然さ）が抑えられ、取付けを促進することができる。
【００２０】
さらにまた、本発明の両開きスライドファスナーの開放防止部材では、前記一対の係合部材の内の一方は、前記紐体に連結される基材と、可撓性の材料によって、略Ｕ字状またはΩ字状に形成され、その遊端部が互いに絡み付く足部となる係合片とを備えて構成され、前記一対の係合部材の内の他方は、前記紐体に取付けられ、色および形状の少なくとも一方で意匠が凝らされた環状部材から成り、前記一方の係合部材の足部が、前記環状部材から成る前記他方の係合部材に係合し、前記足部が互いに絡み付くことで、前記一対の係合部材が互いに係合することを特徴とする。
【００２１】
上記の構成によれば、両開きのスライドファスナーの不所望な開放防止を、一方のスライダーに取付けられた係合片の足部が、他方のスライダーに取付けられた環状部材を内側に取込み、該足部同士で互いに絡み付くことで、実現することができる。
【００２２】
また、本発明の両開きスライドファスナーの開放防止部材では、前記基材は、蛍光体から成り、或いは蛍光材料を含有して成ることを特徴とする。
【００２３】
上記の構成によれば、基材が夜間に光って、交通安全にも寄与することができる。
【００２４】
さらにまた、本発明の両開きスライドファスナーの開放防止部材では、前記結束バンドは、片側にラック状の歯が形成された帯状体と、該帯状体の一端部に設けられ、該帯状体が挿通する溝を有するとともに、その溝の内側の片面には、前記歯に噛合う逆止爪を有する頭部とを備えて構成され、前記係合部材には、前記スライダー側の孔部へ向けて前記帯状体が往復で挿通する２つの挿通孔を有し、該２つの挿通孔において、前記スライダーとは反対側の出口間には、前記頭部を収容する凹所が連通して形成されていることを特徴とする。
【００２５】
上記の構成によれば、係合部材をスライダー本体および／または引き手にぶら下げる紐体を結束バンドで構成する場合、係合部材は、その結束バンドの環に、前記スライダー本体および／または引き手の孔部と共に通されればよい。しかしながら、係合部材に、前記孔部へ向かう結束バンドの帯状体の部分が往復で挿通する２つの挿通孔を形成しておくことで、該係合部材と結束バンドは一体化する。そして、２つの挿通孔において、スライダーとは反対側の出口間を連通するように凹所を形成しておくことで、結束バンドの頭部を収容することができる。
【００２６】
したがって、係合部材のスライダー本体および／または引き手への取付けに、極めて手軽で、汎用品である結束バンドを用いても、その場合に意匠的に最も問題となる頭部を、係合部材内に埋め込んで、目立たなくすることができる。
【００２７】
また、本発明の両開きスライドファスナーの開放防止部材では、エレメント列の両端部から滑動して、該エレメント列をそれぞれ閉止可能な２つのスライダーを備えて成る両開きのスライドファスナーに用いられ、前記２つのスライダーの不所望な離間によるファスナー（前記エレメント列）の開放を防止する開放防止部材であって、前記２つのスライダーの引き手にそれぞれ取付けられ、互いに係合／離脱可能な係合部材を含むことを特徴とする。
【００２８】
上記の構成によれば、２つのスライダーを備えて成る両開きのスライドファスナーにおいて、その２つのスライダーの引き手に、磁石や面ファスナーなどから成り、互いに係合／離脱可能な係合部材を設ける。
【００２９】
したがって、両開きのスライドファスナーにおいて、不所望なファスナー（前記エレメント列）の開放を防止することができる。そして、そのような開放防止部材を設けるにあたって、予めそのような開放防止部材のための細工を施していない両開きのスライドファスナーにおいても、引き手に係合部材を設ける（たとえば貼付ける）だけで、開放を防止することができる。
【００３０】
さらにまた、本発明のバッグは、前記の開放防止部材を、前記両開きスライドファスナーのスライダーに備えることを特徴とする。
【００３１】
上記の構成によれば、両開きスライドファスナーが不所望に開いてしまうことを予防できるバッグを実現することができる。バッグとしては、バックパック（リュックサック）は、目の届かない背後に背負われるので、ファスナー（エレメント列）が開いていても分からず、開かないようにする本発明の開放防止部材は、特に有効である。
【発明の効果】
【００３２】
本発明の両開きスライドファスナーの開放防止部材およびそれを備えるバッグは、以上のように、スライダー本体と引き手との少なくとも一方に紐体を通して、互いに係合／離脱可能な一対の係合部材をぶら下げたり、前記係合部材を引き手に直接貼付けたりするので、既存の両開きスライドファスナーに、後付けで、２つのスライダーが不所望に離間してファスナー（エレメント列）が開いてしまうことを防止することができる。
【図面の簡単な説明】
【００３３】
【図１】本発明の実施の第１の形態に係る開放防止部材の斜視図である。
【図２】図１の開放防止部材の分解斜視図である。
【図３】図１の開放防止部材の取付け途中を示す斜視図である。
【図４】本発明の実施の第２の形態に係る開放防止部材の取付け前の斜視図である。
【図５】図４の開放防止部材の斜視図である。
【図６】図４の開放防止部材の他の使用形態を示す分解斜視図である。
【図７】本発明の実施の第３の形態に係る開放防止部材の取付け前の斜視図である。
【図８】本発明の実施の第４の形態に係る開放防止部材の取付け前の斜視図である。
【図９】本発明の実施の第５の形態に係る開放防止部材の斜視図である。
【図１０】図９における開放防止部材の２つの係合部材を互いに離脱させた状態の斜視図である。
【図１１】本発明の実施の第６の形態に係る開放防止部材において、２つの係合部材を互いに離脱させた状態の斜視図である。
【図１２】本発明の実施の第７の形態に係る開放防止部材において、２つの係合部材を互いに離脱させた状態の斜視図である。
【図１３】本発明の実施の第８の形態に係る開放防止部材の取付け前の斜視図である。
【発明を実施するための形態】
【００３４】
（実施の形態１）
図１は本発明の実施の第１の形態に係る開放防止部材１の斜視図であり、図２はその分解斜視図であり、図３は取付け途中を示す斜視図である。この開放防止部材１は、バッグなどに設けられる両開きのスライドファスナー２に取付けて使用される。両開きのスライドファスナー２は、エレメント列２０の図示しない両端部から滑動して、該エレメント列２０をそれぞれ閉止可能な２つのスライダー２１，２２を備えて構成される。スライダー２１，２２は、一般に、エレメント列２０を開閉するスライダー本体２１１，２２１と、スライダー本体２１１，２２１に連結され、使用者が把持して（摘まんで）、スライダー本体２１１，２２１を移動させる引き手２１２，２２２とを備えて構成される。
【００３５】
この両開きのスライドファスナー２は、図１で示すように、２つのスライダー２１，２２を突き合わせるように、エレメント列２０の任意の箇所まで該スライダー２１，２２を移動させることで、ファスナー２（エレメント列２０）を閉じることができ、荷物の出入れなどが容易になる。しかしながら、この両開きのスライドファスナー２では、スライダー２１，２２が、エレメント列２０の何れかの端部にある場合に比べて、途中箇所にある場合は、バッグの内部の荷物や、壁面などの外部への接触が起こり易い。また、最も頻度の高いのは、途中箇所にある場合、前記荷物の嵩（バッグの膨らみ）や重さによるバッグの生地（ファスナーテープ２３，２４）のストレス（テンション）が加わることである。これらの理由によって、該２つのスライダー２１，２２は、ファスナー２（エレメント列２０）の途中箇所にある場合、不所望に（自然に）、互いに離間し易く、つまりファスナー２（エレメント列２０）が開き易い。
【００３６】
そこで、このような不所望なファスナー２（エレメント列２０）の開放を防止するために、本実施形態の開放防止部材１が設けられる。この開放防止部材１は、バッグなどの販売当初から設けられていてもよいが、本実施形態の開放防止部材１は、使用者が、前記バッグなどの購入後、必要に応じて、後付けすることが可能であり、バッグなどの販売店だけでなく、バラエティーショップなどでも取扱うことができる。
【００３７】
注目すべきは、この開放防止部材１は、２つのスライダー２１，２２それぞれにおけるスライダー本体２１１，２２１と引き手２１２，２２２との少なくとも一方に形成されている孔部２１３，２１４：２２３，２２４を挿通する紐体１１，１２と、２つの紐体１１，１２にそれぞれ取付けられ、互いに係合／離脱可能な一対の係合部材１３，１４とを備えて構成されることである。本実施形態では、紐体１１，１２は、スライダー本体２１１，２２１に係合する引き手２１２，２２２における環状の一端部２１５，２２５が形成する孔部２１３，２２３と、引き手２１２，２２２の他端部２１６，２２６において、紐などを通すために予め形成される孔部２１４，２２４との両方に通されているが、何れか片方でもよく、或いは、スライダー本体２１１，２２１において、前記引き手２１２，２２２の環状の一端部２１５，２２５を通すために形成される孔部２１７，２２７に通されてもよい。
【００３８】
図３で示すように、係合部材１３，１４は、紐体１１，１２に取付けられる板状の基材１３１，１４１と、基材１３１，１４１の対向面に取付けられる磁石１３２，１４２とを備えて構成される。磁石１３２，１４２が互いに吸着することで、係合部材１３，１４も互いに吸着し、離反し難くなる。磁石１３２，１４２は、本実施形態では円盤状であるが、大きさや形状は、所望する吸着力に応じて、適宜定められればよい。また、基材１３１，１４１の一方に磁石を、他方にそれが吸着する鉄板などを設けるようにしてもよい。
【００３９】
紐体１１，１２は、前記引き手２１２，２２２の孔部２１３，２１４：２２３，２２４を挿通された後、図３で示すように、係合部材１３，１４に形成された通し孔１３３，１３４；１４３，１４４をさらに挿通されて、図２で示すように、両端部が結ばれ、図２において破線１５，１６で示す部分から先の余剰となった端部１１１，１２１が切断される。
【００４０】
本実施形態では、基材１３１，１４１は樹脂成型品から成り、そのため該基材１３１，１４１が２枚の板であると、埋め込んだ磁石１３２，１４２が吸着すると、該基材１３１，１４１が密着し、を引き剥がし難くなる。そのため、小さい方の基材１４には、外周縁から内側に入り込んで、段差１４５を形成するように、隆起部１４６が形成されており、前記通し孔１４３，１４４は、この隆起部１４６に設けられる。使用者は、段差部１４５に爪先を差込むことで、２枚の基材１３１，１４１を容易に引き剥がすことができる。また、この隆起部１４６（段差部１４５）を設けることで、紐体１２の結び目が該基材１４１によって隠れるので、意匠的にも好ましい。基材１３１，１４１が、フェルトや不織布などの繊維から成る場合は、可撓性があり、該基材１３１，１４１を、その縁から捲って引き剥がし易く、紐体１２を通すことができる厚みがあれば、隆起部１４６は、特に設けられなくてもよい。
【００４１】
以上のように、両開きのスライドファスナー２において、本実施形態の開放防止部材１を設けることで、不所望なファスナー２（エレメント列２０）の開放を防止することができ、開いたファスナー２の口から荷物が落ちたりすることを防止したり、ファスナーを開け難くし、スリなどに対して防犯効果を得たりすることができる。
【００４２】
そして、そのような開放防止部材１を設けるにあたって、スーツケースの両開きスライドファスナーのファスナー本体のように、所謂南京錠のＵ字の掛金が通る孔を設けておくような、予めそのような開放防止部材のための細工を施していない両開きのスライドファスナー１においても、本実施形態の開放防止部材１では、ファスナー本体２１１，２２１か引き手２１２，２２２に形成されている孔２１３，２１４；２２３，２２４に紐１１，１２を通して、一対の係合部材１３，１４をぶら下げるだけで、開放を防止することができる。
【００４３】
また、本実施形態の開放防止部材１では、係合部材１３，１４の吸着に、磁石１３２，１４２を用いることで、係合／離脱操作および両開きのスライドファスナー１の不所望な開放防止を、前記南京錠などに比べて容易に実現することができる。
【００４４】
さらにまた、本実施形態の開放防止部材１では、一対の係合部材１３，１４の基材１３１，１４１は、花弁の模様に形成され、磁石１３２，１４２の吸着で互いに積層された状態では、図１で示すように、表側となる基材１４１が相対的に小さく、裏側となる基材１３１が相対的に大きくなるように形成されるので、ファスナー２（エレメント列２０）の開放を防止するために互いに貼合わせられることになる基材１３１，１４１に、意匠性を持たせることができる。これによって、既存のスライドファスナー２に開放防止部材１を後付けしても、違和感（不自然さ）が抑えられ、取付けを促進することができる。
【００４５】
好ましくは、前記基材１３１，１４１は、蛍光体から成り、或いは蛍光材料を含有して成る。これによって、基材１３１，１４１が夜間に光って、交通安全にも寄与することができる。
（実施の形態２）
図４は本発明の実施の第２の形態に係る開放防止部材３の取付け前の斜視図であり、図５はその開放防止部材３の斜視図である。本実施形態において、バッグなどに設けられる両開きのスライドファスナー２の構成は、前述の図１〜図３と同様であり、対応する部分には同一の参照符号を付して、その説明を省略する。
【００４６】
この開放防止部材３で注目すべきは、係合部材３３，３４の基材３３１，３４１にフェルトまたは不織布が用いられ、それらの吸着のために、前記磁石１３２，１４２に代えて、面ファスナー３３２，３４２が用いられることである。面ファスナー３３２，３４２は、基材３３１，３４１に縫い付けられ、或いは接着固定される。基材３３１，３４１において、互いに積層した状態で外側となる面、すなわち面ファスナー３３２，３４２が取付けられる面とは反対側の面には、蛍光体シート３３４，３４４が貼付けられている。また、この開放防止部材３で注目すべきは、紐体１１，１２として、結束バンド３１，３２が用いられることである。
【００４７】
図４および図５の例では、係合部材３３，３４をスライダー２１，２２に連結するための結束バンド３１，３２に加えて、予め基材３３１，３４１および蛍光体シート３３４，３４４に穿設した孔３３５，３４５に挿通させて係合リングを形成しておく、もう１本の結束バンド３３３，３４３が用いられている。ここで、図４は取付け前であるが、図５の取付け後においても、分かり易くするために、結束バンド３１，３２において、連結に寄与しない不要な部分も、カットせずに、そのままの状態で示している。つまり、図５を参照して、結束バンド３１，３２は、片側にラック状の歯３１１，３２１が形成された帯状体３１２，３２２と、その帯状体３１２，３２２の一端部に設けられ、帯状体３１２，３２２が挿通する溝を有するとともに、その溝の内側の片面には、前記歯３１１，３２１に噛合う逆止爪を有する頭部３１３，３２３とを備えて構成される。結束バンド３３３，３４３についても、同様である。
【００４８】
したがって、図４で示すように、帯状体３１２，３２２を、結束バンド３３３，３４３の係合リングに通し、さらにスライダー本体２１１，２２１の孔部２１７，２２７に通した後、頭部３１３，３２３に通し、締め上げることで、図５で示すように、結束バンド３３３，３４３から係合部材３３，３４をスライダー２１，２２にぶら下げることができる。これによって、開放防止部材３は、前述の開放防止部材１と同様に、ファスナー２（エレメント列２０）の不所望な開放を防止することができる。
【００４９】
しかも、広く市販されていて安価な結束バンド３１，３２；３３３，３４３を用いて、係合部材３３，３４をスライダー２１，２２に極めて容易に取付けることができるとともに、外れ難く、また強度も高く、高い信頼性で、ファスナー２（エレメント列２０）の不所望な開放を防止することができる。本実施形態では、面ファスナー３３２と３４２とが雌雄の関係であるだけで、係合部材３３，３４は相互に等しく構成される。
【００５０】
ここで、作業はし難くなるが、係合部材３３，３４をスライダー２１，２２に取付けるための結束バンド３１，３２を、直接、孔３３５，３４５に挿通させることが可能であれば、結束バンド３３３，３４３の係合リングは、省略されてもよい。その例を図６で示す。図６において、図５に対応する部分には、同一の参照符号を付して示す。
【００５１】
図６の例ではまた、結束バンド３１，３２は、前述の紐体１１，１２と、同様の通し方をしている。つまり、引き手２１２，２２２に形成されている２つの孔２１３，２１４；２２３，２２４に、結束バンド３１，３２を通している。結束バンド３１，３２の帯状体３１２，３２２は、扁平のため、厚み方向に曲がり易く、幅方向に曲がり難い。したがって、紐体１１，１２に、結束バンド３１，３２を用いることに合せて、該結束バンド３１，３２を引き手２１２，２２２の２つの孔２１３，２１４；２２３，２２４を通した先に基材３３１，３４１を連結することで、基材３３１，３４１が結束バンド３１，３２、したがって引き手２１２，２２２の幅方向にふらつかなくなる。これによって、互いに係合された基材３３１，３４１から引き手２１２，２２２の部分が一体化し、ファスナー２（エレメント列２０）が、より開き難くなる。
（実施の形態３）
図７は、本発明の実施の第３の形態に係る開放防止部材４の取付け前の斜視図である。本実施形態では、前述の結束バンド３１，３２を使用して係合部材４３，４４を引き手２１２，２２２に取付けるが、結束バンド３１，３２は省略している。本実施形態の係合部材４３，４４も、面ファスナー４３２と４４２とが雌雄の関係であるだけで、係合部材４３，４４は相互に等しく構成される。
【００５２】
係合部材４３，４４は、花弁の形状で相互に等しい表裏の基材４３１，４４１；４３３，４４３と、前記面ファスナー４３２，４４２と、吊り紐４３４，４４４と、リング４３５，４４５とを備えて構成される。吊り紐４３４，４４４は、帯状体が２つ折りされたものであり、その折返された両端部が、相互に積層される表裏の基材４３１，４４１；４３３，４４３間に挟み込まれ、縫い目４３６，４４６が縫い付けられることで、それらに一体化されている。吊り紐４３４，４４４の折返される中央位置には、リング４３５，４４５が予め嵌め込まれている。このリング４３５，４４５に結束バンド３１，３２が通され、引き手２１２，２２２に取付けられる。面ファスナー４３２，４４２は、裏側の基材４３３，４４３の裏面に、縫い付けや接着などで固定される。
【００５３】
このように構成することで、開放防止部材１における紐体１１，１２の端部１１１，１２１のように、花弁の基材４３１，４４１；４３３，４４３の外周部から、紐体１１，１２や結束バンド３１，３２が突出することはなく、意匠的に好ましい。
（実施の形態４）
図８は、本発明の実施の第４の形態に係る開放防止部材５の取付け前の斜視図である。上述の開放防止部材３，４では、結束バンド３１，３２；３３３，３４３に、電線などを束ねるために使用される市販品を使用している。これに対して、本実施形態の開放防止部材５では、専用の結束バンドを採用し、結束バンド５１，５２の部分と、係合部材５３，５４の部分とが一体に成型されている。そのため、結束バンド５１，５２を締結する頭部が、そのまま平盤状に形成されて係合部材５３，５４となっている。結束バンド５１，５２は、円盤状の係合部材５３，５４の一方の側面から差込まれ、他方の側面から突出し、こうして形成されたループが、前記引き手２１２，２２２の孔２１３，２１４；２２３，２２４などに通される。係合部材５３，５４内には、結束バンド５１，５２を締結する図示しない逆止爪が設けられている。そして、係合部材５３，５４の相互に対向する面には、雌雄一対の面ファスナー５３２，５４２が設けられている。
【００５４】
このように大きな頭部を有する結束バンドを作成し、その頭部に面ファスナー５３２，５４２を取付けることで、取付けを簡略化でき、また意匠性も向上することができる。
（実施の形態５）
図９は本発明の実施の第５の形態に係る開放防止部材６の斜視図であり、図１０は２つの係合部材６３，６４を互いに離脱させた状態の斜視図である。本実施形態において、バッグなどに設けられる両開きのスライドファスナー２の構成は、前述の図１〜図３等と同様であり、対応する部分には同一の参照符号を付して、その説明を省略する。
【００５５】
本実施形態では、一方の係合部材６３は、基材６３１と、係合片６３２とを備えて構成され、他方の係合部材６４は、結束バンド３２に取付けられる環状部材から成る。そして、係合片６３２は、樹脂などの可撓性の材料によって、略Ｕ字またはΩ字（本実施形態ではΩ字）の紐状に形成され、その遊端部が、互いに絡み付く足部６３２１，６３２２となっている。前記足部６３２１，６３２２の先端には、使用者が、その足部６３２１，６３２２の開放操作、すなわち係合部材６３，６４の係合／離脱操作を行い易いように、玉状の操作部６３２３，６３２４がそれぞれ形成されている。
【００５６】
本実施形態では、図１０で示すように、結束バンド３１には、リング６３３を介して係合片６３２が連結され、この係合片６３２が基材６３１に接着固定されることで、基材６３１が結束バンド３１に連結されているが、基材６３１が、リング６３３を介して、直接、結束バンド３１に連結されてもよい。本実施形態の係合片６３２は、足部６３２１，６３２２の開放操作の際に操作が必要で、閉止操作は該足部６３２１，６３２２の復元力で自然に行われる。この足部６３２１，６３２２では、開放時に、多少、捻る操作も必要になるので、足部としては、女性の髪を束ねる所謂バナナクリップや、洗濯鋏のように、１つの軸に枢支され、開閉動作を行う一対の部材であってもよい。
【００５７】
本実施形態では、図９で示すように、基材６３１は、花弁６３１１の部分に、副花冠６３１２を備えた凝った意匠となっている。また、係合部材６４も、色および形状の少なくとも一方で意匠が凝らされた環状部材から成り、本実施形態では、ハート形で、内部に色付きの小さな玉やモールなどから成る飾り６４１を有し、その飾り６４１を前記ハート形の透明な封止樹脂６４２で封止して形成される。
【００５８】
この開放防止部材６で注目すべきは、一方の係合部材６３の足部６３２１，６３２２を開けた状態で、環状部材から成る他方の係合部材６４を係合させ（内側に取込み）、その後、図９で示すように、足部６３２１，６３２２を互いに閉じる（絡み付かせる）ことで、一対の係合部材６３，６４が互いに係合することである。このように構成してもまた、不所望なファスナー２（エレメント列２０）の開放防止を実現することができる。また、係合部材６３，６４の意匠性を向上することができるとともに、他方の係合部材６４は、格別、係合の構造を備えない環状部材とすることができ、意匠の自由度も向上することができる（デザインし易くなる）。
（実施の形態６）
図１１は、本発明の実施の第６の形態に係る開放防止部材７において、２つの係合部材７３，７４を互いに離脱させた状態の斜視図である。本実施形態においても、バッグなどに設けられる両開きのスライドファスナー２の構成は、前述の図１〜図３等と同様であり、図１１では省略している。
【００５９】
本実施形態では、一対の係合部材７３，７４は、相似形であり、１本の結束バンド３１，３２によって、引き手２１２，２２２の孔部２１４，２２４などに取付けられる。係合部材７３，７４の対向面には、面ファスナー７５，７６がそれぞれ貼付けられている。注目すべきは、同じ１本の結束バンド３１，３２を使用する図６の係合部材３３，３４は、該結束バンド３１，３２の環に１回通されるだけであるのに対して、本実施形態の係合部材７３，７４では、該結束バンド３１，３２の帯状体３１２，３２２が、往復で通されることである。そのため、係合部材７３，７４には、２つの挿通孔７３１，７３２，７４１，７４２がそれぞれ形成されている。これによって、係合部材７３，７４と結束バンド３１，３２とは、一体化する。
【００６０】
そしてまた注目すべきは、その２つの挿通孔７３１，７３２，７４１，７４２において、スライダー２１，２２とは反対側の出口間に、結束バンド３１，３２の頭部３１３，３２３を収容する凹所７３３，７４３が連通して形成されていることである。したがって、係合部材７３，７４の引き手２１２，２２２などへの取付けに、極めて手軽で、汎用品である結束バンド３１，３２を用いても、その場合に意匠的に最も問題となる頭部３１３，３２３を、係合部材７３，７４内に埋め込んで、目立たなくすることができる。さらにまた、結束バンド自体に飾りの付いた物を使用するとデザインをさらに拡げることができる。
【００６１】
このような係合部材７３，７４は、たとえば樹脂の粘土などから作成することができる。その樹脂の粘土に、２つの挿通孔７３１，７３２，７４１，７４２および凹所７３３，７４３を形成し、乾燥させて固めることで、係合部材７３，７４とすることができる。磁石を用いる場合には、磁石を粘土に埋め込んでおけばよい。その埋込み深さで、吸着の強度を調整することができる。他にも、係合部材７３，７４としては、結束バンド３１，３２を通すことができる厚みがあり、２つの貫通する孔が開いているビーズなどを用いることができる。また、そのようなプラスチックの板やゴムの板などを用いることもでき、これらのプラスチックやゴムの場合には、磁石や面ファスナーの接着性を上げることができる。
【００６２】
ここで、一対の係合部材が、図６の係合部材３３，３４のように、板状で、相互に等しい形状の場合、比較的剥がし難い（離脱させ難い）。図６の場合、係合部材３３，３４は、基材３３１，３４１や蛍光体シート３３４，３４４が、柔軟性のあるフェルトまたは不織布から成り、さらに面ファスナー３３２，３４２が基材３３１，３４１の全周に貼付けられているわけではないので、基材３３１，３４１間に、指先や爪を差込んで比較的簡単に引き剥がすことができる。しかしながら、基材が剛性の材料から成る場合、引き剥がし難く、その場合は、２枚の係合部材が、完全に合致するのではなく、一部が外周から突出したり、相互に等しい形状なら、中心がオフセットして重ねられるようにすることが好ましい。
また、本実施形態の係合部材７３，７４のように、外周縁部が、曲面（ラウンド）形状であると、その曲面の間から指先や爪を差込んで引き剥がし易い。面ファスナー７５，７６を用いる場合、係合部材７３，７４としては、曲面から球体であっても、ファスナー２（エレメント列２０）の開放を防止することができる。
（実施の形態７）
図１２は、本発明の実施の第７の形態に係る開放防止部材８において、２つの係合部材８３，８４を互いに離脱させた状態の斜視図である。この開放防止部材８は、前述の開放防止部材４に類似している。係合部材８３，８４は、任意の形状で相互に等しい表裏の基材８３１，８４１；８３３，８４３と、ホック（スナップボタン）８３２，８４２と、吊り紐８３４，８４４と、リング８３５，８４５とを備えて構成される。本実施形態では、裏側の基材８３３，８４３に、糸８３７，８４７によってホック８３２，８４２が縫い付けられた後、表裏の基材８３１，８４１；８３３，８４３が重ね合わされ、一端にリング４３５，４４５が挟み込まれた吊り紐４３４，４４４が差込まれた状態で、縫い目８３６，８４６が縫い付けられることで、それらが一体化されている。
【００６３】
ホック８３２，８４２は、所望とする係合力を有する大きのものであれば、１つであってもよい。２つ設けられる場合、図１２のように、係合部材８３，８４の一方のみ（図１２では係合部材８３）が雄、他方のみ（図１２では係合部材８４）が雌に統一されず、双方が雌雄を備えていてもよい。
【００６４】
このように構成してもまた、ファスナー２（エレメント列２０）の開放を防止することができるとともに、基材８３１，８４１；８３３，８４３の外周部から、紐体１１，１２や結束バンド３１，３２が突出することはなく、意匠的に好ましい。
（実施の形態８）
図１３は、本発明の実施の第８の形態に係る開放防止部材９の取付け前の斜視図である。この開放防止部材９で注目すべきは、係合部材９３，９４には、旅行鞄などで広く用いられているバックルが用いられることである。本実施形態では、係合部材９３，９４はプラスチック製で、一方の係合部材９３が他方の係合部材９４に嵌り込むことで相互に嵌着する。図１３は、係合部材９３の左右の操作部９３１，９３２を押し込むことで解除操作を行うことができるサイドリリースタイプであるが、中央の釦を厚み方向に押し込むプッシュ釦タイプのバックルであってもよい。係合部材９３，９４は、ベルト９５，９６に連結されており、そのベルト９５，９６の端部に縫い付けで形成された環状部９５１，９６１に、前記結束バンド３１，３２が挿通される。
【００６５】
このように構成することで、磁石１３２，１４２や面ファスナー３３２，３４２は、衝撃等で不所望に連結が外れてしまう可能性があるが、プラスチックバックルから成る係合部材９３，９４には、そのような可能性は殆ど無く、連結（ファスナー２（エレメント列２０）の開放防止）の信頼性を向上することができる。
【００６６】
なお、本実施形態では、プラスチックバックルから成り、剛性で、一定の長さを有する係合部材９３，９４を用いるので、ベルト９５，９６としては、結束バンド３１，３２と合せて、該係合部材９３，９４の長さ分を折返す長さとすることで、使用者がスライダー２１，２２を突き合わせて締めた状態を保持することができる。そのため、一方の係合部材９３には、アジャスター部９３３が設けられており、ベルト９５の長さ調整が可能となっている。
（実施の形態９）
本発明の実施の第９の形態に係る開放防止部材では、上述のように２つのスライダー２１，２２を備えて成る両開きのスライドファスナー２において、その２つのスライダー２１，２２の引き手２１２，２２２に、直接、接着などで磁石や面ファスナーなどから成る係合部材を設ける。
【００６７】
このように構成してもまた、不所望なファスナー２（エレメント列２０）の開放を防止することができる。そして、そのような開放防止部材を設けるにあたって、予めそのような開放防止部材のための細工を施していない両開きのスライドファスナー２においても、引き手２１２，２２２に係合部材を設ける（たとえば貼付ける）だけで、開放を防止することができる。
【００６８】
以上のような開放防止部材１，３，４，５，６，７を、両開きスライドファスナー２のスライダー２１，２２に備えることで、ファスナー２（エレメント列２０）が不所望に開いてしまうことを予防できるバッグを実現することができる。バッグとしては、バックパック（リュックサック）は、目の届かない背後に背負われるので、ファスナー２（エレメント列２０）が開いていても分からず、開かないようにする本実施形態の開放防止部材１，３，４，５，６，７は、特に有効である。
【符号の説明】
【００６９】
１，３，４，５，６，７，８，９    開放防止部材
１１，１２    紐体
１３，１４    係合部材
１３１，１４１    基材
１３２，１４２    磁石
１３３，１３４；１４３，１４４    通し孔
１４５  段差
１４６  隆起部
２    両開きのスライドファスナー
２０    エレメント列
２１，２２    スライダー
２１１，２２１    スライダー本体
２１２，２２２    引き手
２１３，２１４：２２３，２２４    孔部
２１７，２２７    孔部
２３，２４    ファスナーテープ
３１，３２    結束バンド
３１１，３２１    ラック状の歯
３１２，３２２    帯状体
３１３，３２３    頭部
３３，３４    係合部材
３３１，３４１    基材
３３２，３４２    面ファスナー
３３３，３４３    結束バンド
３３４，３４４    蛍光体シート
３３５，３４５    孔
４３，４４    係合部材
４３１，４４１；４３３，４４３    基材
４３２，４４２    面ファスナー
４３４，４４４    吊り紐
４３５，４４５    リング
４３６，４４６    縫い目
５１，５２    結束バンド
５３，５４    係合部材
５３２，５４２    面ファスナー
６３，６４    係合部材
６３１  基材
６３１１    花弁
６３１２    副花冠
６３２  係合片
６３２１，６３２２    足部
７３，７４    係合部材
７３１，７３２，７４１，７４２    挿通孔
７３３，７４３    凹所
７５，７６    面ファスナー
８３，８４    係合部材
８３１，８４１；８３３，８４３    基材
８３２，８４２    ホック
８３４，８４４    吊り紐
８３５，８４５    リング
８３６，８４６    縫い目
９３，９４    係合部材
９３１，９３２    操作部
９３３  アジャスター部
９５，９６    ベルト
【図１】
2017192620.tif 000003
【図２】
2017192620.tif 000004
【図３】
2017192620.tif 000005
【図４】
2017192620.tif 000006
【図５】
2017192620.tif 000007
【図６】
2017192620.tif 000008
【図７】
2017192620.tif 000009
【図８】
2017192620.tif 000010
【図９】
2017192620.tif 000011
【図１０】
2017192620.tif 000012
【図１１】
2017192620.tif 000013
【図１２】
2017192620.tif 000014
【図１３】
2017192620.tif 000015
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
エレメント列の両端部から滑動して、該エレメント列をそれぞれ閉止可能な２つのスライダーを備えて成る両開きのスライドファスナーに用いられる開放防止部材であって、
前記２つのスライダーそれぞれにおけるスライダー本体と引き手との少なくとも一方に形成されている孔部を挿通する結束バンドと、
２つの前記結束バンドにそれぞれ取付けられ、互いに係合／離脱可能な一対の係合部材とを含み、
前記結束バンドは、片側にラック状の歯が形成された帯状体と、該帯状体の一端部に設けられ、該帯状体が挿通する溝を有するとともに、その溝の内側の片面には、前記歯に噛合う逆止爪を有する頭部とを備えて構成されることを特徴とする両開きスライドファスナーの開放防止部材。
【請求項２】
エレメント列の両端部から滑動して、該エレメント列をそれぞれ閉止可能な２つのスライダーを備えて成る両開きのスライドファスナーに用いられる開放防止部材であって、
前記２つのスライダーそれぞれにおけるスライダー本体と引き手との少なくとも一方に形成されている孔部を挿通する紐体と、
２つの前記紐体にそれぞれ取付けられ、互いに係合／離脱可能な一対の係合部材とを含み、
前記係合部材は、前記紐体に取付けられる板状の基材と、前記基材に取付けられる面ファスナー、ホックまたは磁石とを備え、前記面ファスナー、ホックまたは磁石が互いに吸着することで、一対の前記基材が貼合わせられるものであり、
前記一対の基材は、花弁の模様に形成され、前記面ファスナー、ホックまたは磁石の吸着で積層された状態で、表側となる基材が相対的に小さく、裏側となる基材が相対的に大きくなるように形成されることを特徴とする両開きスライドファスナーの開放防止部材。
【請求項３】
エレメント列の両端部から滑動して、該エレメント列をそれぞれ閉止可能な２つのスライダーを備えて成る両開きのスライドファスナーに用いられる開放防止部材であって、
前記２つのスライダーそれぞれにおけるスライダー本体と引き手との少なくとも一方に形成されている孔部を挿通する紐体と、
２つの前記紐体にそれぞれ取付けられ、互いに係合／離脱可能な一対の係合部材とを含み、
前記一対の係合部材の内の一方は、前記紐体に連結される基材と、可撓性の材料によって、略Ｕ字状またはΩ字状に形成され、その遊端部が互いに絡み付く足部となる係合片とを備えて構成され、
前記一対の係合部材の内の他方は、前記紐体に取付けられた環状部材から成り、
前記一方の係合部材の足部が、前記環状部材から成る前記他方の係合部材に係合し、前記足部が互いに絡み付くことで、前記一対の係合部材が互いに係合することを特徴とする両開きスライドファスナーの開放防止部材。
【請求項４】
エレメント列の両端部から滑動して、該エレメント列をそれぞれ閉止可能な２つのスライダーを備えて成る両開きのスライドファスナーに用いられる開放防止部材であって、
前記２つのスライダーの引き手は相互に略等しい板状に形成され、その板の表面にそれぞれ取付けられ、互いに係合／離脱可能で、前記板の投影が略相互に重なるように、その表面同士を密着させる係合部材を含むことを特徴とする両開きスライドファスナーの開放防止部材。
【請求項５】
前記基材は、蛍光体から成り、或いは蛍光材料を含有して成ることを特徴とする請求項２または３記載の両開きスライドファスナーの開放防止部材。
【請求項６】
前記係合部材には、前記スライダー側の孔部へ向けて前記帯状体が往復で挿通する２つの挿通孔を有し、該２つの挿通孔において、前記スライダーとは反対側の出口間には、前記頭部を収容する凹所が連通して形成されていることを特徴とする請求項１記載の両開きスライドファスナーの開放防止部材。
【請求項７】
前記請求項１〜６の何れか１項に記載の開放防止部材を、前記両開きスライドファスナーのスライダーに備えることを特徴とするバッグ。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
エレメント列の両端部から滑動して、該エレメント列をそれぞれ閉止可能な２つのスライダーを備えて成る両開きのスライドファスナーに用いられる開放防止部材であって、
前記２つのスライダーそれぞれにおけるスライダー本体と引き手との少なくとも一方に形成されている孔部を挿通する結束バンドと、
２つの前記結束バンドにそれぞれ取付けられ、互いに係合／離脱可能な一対の係合部材とを含み、
前記結束バンドは、片側にラック状の歯が形成された帯状体と、該帯状体の一端部に設けられ、該帯状体が挿通する溝を有するとともに、その溝の内側の片面には、前記歯に噛合う逆止爪を有する頭部とを備えて構成されることを特徴とする両開きスライドファスナーの開放防止部材。
【請求項２】
エレメント列の両端部から滑動して、該エレメント列をそれぞれ閉止可能な２つのスライダーを備えて成る両開きのスライドファスナーに用いられる開放防止部材であって、
前記２つのスライダーそれぞれにおけるスライダー本体と引き手との少なくとも一方に形成されている孔部を挿通する紐体と、
２つの前記紐体にそれぞれ取付けられ、互いに係合／離脱可能な一対の係合部材とを含み、
前記係合部材は、前記紐体に取付けられる板状の基材と、前記基材に取付けられる面ファスナー、ホックまたは磁石とを備え、前記面ファスナー、ホックまたは磁石が互いに吸着することで、一対の前記基材が貼合わせられるものであり、
前記一対の基材は、花弁の模様に形成され、前記面ファスナー、ホックまたは磁石の吸着で積層された状態で、表側となる基材が相対的に小さく、裏側となる基材が相対的に大きくなるように形成されることを特徴とする両開きスライドファスナーの開放防止部材。
【請求項３】
エレメント列の両端部から滑動して、該エレメント列をそれぞれ閉止可能な２つのスライダーを備えて成る両開きのスライドファスナーに用いられる開放防止部材であって、
前記２つのスライダーそれぞれにおけるスライダー本体と引き手との少なくとも一方に形成されている孔部を挿通する紐体と、
２つの前記紐体にそれぞれ取付けられ、互いに係合／離脱可能な一対の係合部材とを含み、
前記一対の係合部材の内の一方は、前記紐体に連結される基材と、可撓性の材料によって、略Ｕ字状またはΩ字状に形成され、その遊端部が互いに絡み付く足部となる係合片とを備えて構成され、
前記一対の係合部材の内の他方は、前記紐体に取付けられた環状部材から成り、
前記一方の係合部材の足部が、前記環状部材から成る前記他方の係合部材に係合し、前記足部が互いに絡み付くことで、前記一対の係合部材が互いに係合することを特徴とする両開きスライドファスナーの開放防止部材。
【請求項４】
前記基材は、蛍光体から成り、或いは蛍光材料を含有して成ることを特徴とする請求項２または３記載の両開きスライドファスナーの開放防止部材。
【請求項５】
前記係合部材には、前記スライダー側の孔部へ向けて前記帯状体が往復で挿通する２つの挿通孔を有し、該２つの挿通孔において、前記スライダーとは反対側の出口間には、前記頭部を収容する凹所が連通して形成されていることを特徴とする請求項１記載の両開きスライドファスナーの開放防止部材。
【請求項６】
前記請求項１〜５の何れか１項に記載の開放防止部材を、前記両開きスライドファスナーのスライダーに備えることを特徴とするバッグ。